(57)【特許請求の範囲】
【請求項１】
文書の各ページにページ印刷属性を設定しておき、このページ印刷属性にもとづき印刷制御を行う印刷制御装置において、
文書をその印刷方法にかかわらずに印刷時に使用する設定可能な印刷方法に対応する複数のページ印刷属性を示す印刷属性テーブルをページ毎に設定可能なページ印刷属性設定手段と、
前記設定された印刷属性テーブルから、実際の印刷方法に対して適用されるページ印刷属性を選択抽出する属性抽出手段を具備し、
印刷方法が変更されたとき、この変更された印刷方法にもとづき前記設定された印刷属性テーブルから適用されるページ印刷属性を選択抽出することを特徴とする印刷制御装置。
【請求項２】
請求項１に記載された印刷制御装置において、前記属性抽出手段は、印刷方法別のページ印刷属性の有効・無効対応表にもとづき、印刷方法に応じた印刷属性を抽出することを特徴とする印刷制御装置。
【請求項３】
請求項１に記載された印刷制御装置において、
前記属性抽出手段は、
片面印刷を行う場合、ページ印刷属性の色紙挿入、給紙口、色紙給紙口、ページ番号印刷の属性を有効にし、見出し属性を無効にして印刷を行い、
両面印刷を行う場合、ページ印刷属性の見出し、色紙挿入、給紙口、色紙給紙口、ページ番号印刷の全ての属性を有効にして印刷を行い、
中綴じ印刷を行う場合、ページ印刷属性の見出し、ページ番号印刷の属性を有効にし、色紙挿入、給紙口、色紙給紙口の属性を無効にして印刷を行い、
面付け片面印刷を行う場合、ページ印刷属性の見出し、色紙挿入、給紙口、色紙給紙口、ページ番号印刷の全ての属性を有効にして印刷を行い、
面付け両面印刷を行う場合、ページ印刷属性の見出し、色紙挿入、給紙口、色紙給紙口、ページ番号印刷の全ての属性を有効にして印刷を行い、
特殊面付け片面印刷を行う場合、ページ印刷属性のページ番号印刷属性を有効にし、見出し、色紙挿入、給紙口、色紙給紙口の属性を無効にして印刷を行い、
特殊面付け両面印刷を行う場合、ページ印刷属性の見出し、ページ番号印刷の属性を有効にし、色紙挿入、給紙口、色紙給紙口の属性を無効にして印刷を行う、
ことを特徴とする印刷制御装置。
【発明の詳細な説明】
【０００１】
【発明の属する技術分野】
本発明は印刷制御装置に係り、特に複数ページからなる文書を、両面印刷や製本印刷などの様々な印刷方法で印刷する際において、例えば見出し印刷の如く、その印刷方法に対するページ単位の印刷属性、すなわちページ印刷属性を制御する印刷制御装置に関する。
【０００２】
【従来の技術】
文書を印刷する場合、印刷方法には、▲１▼片面印刷、▲２▼両面印刷、▲３▼中綴じ印刷、▲４▼面付け片面印刷、▲５▼面付け両面印刷、▲６▼特殊面付け片面印刷、▲７▼特殊面付け両面印刷等がある。
【０００３】
これらについて簡単に説明する。
▲１▼片面印刷は、図４（Ａ）に示すように、１枚の紙の片面（表面）に１ページづつ印刷する。図４（Ａ）の数字は、印刷面に記入したページを示し、１ページ片面印刷した例を示す。
【０００４】
▲２▼両面印刷は１枚の紙の表と裏に１ページづつ（２ページ／１枚）印刷する。
▲３▼中綴じ印刷は、図４（Ｂ）に示す如く、印刷された紙Ｐ1 、Ｐ2 をまとめて、鎖線部で中綴じを行い、この部分より二つ折りにする印刷方法であり、１枚の紙の表裏に２ページづつ（４ページ／１枚）印刷するものである。ページ番号は図４（Ｂ）の数字で示され、括弧付き数字は裏面のページ番号を示す。すなわち、二つ折りにしたとき、順番になるように、印刷するときページをならべ替えて印刷制御する。
【０００５】
▲４▼面付け片面印刷は、図４（Ｃ）に示す如く、１枚の紙の表面に２ページづつ（２ページ／１枚）印刷するものである。つまり図４（Ｃ）に示す如く、初めの紙Ｐ1 に１ページと２ページを印刷し、２枚目の紙Ｐ2 に３ページと４ページを印刷し、これを重ねるものである。このようにすることにより１枚の紙に多数の文書が印刷することができ、用紙節約になる。
【０００６】
▲５▼面付け両面印刷は、図４（Ｄ）に示す如く、１枚の紙の表と裏に２ページづつ（４ページ／１枚）印刷し、これを重ねるものである。図４（Ｄ）の初めの用紙Ｐ1 の表面に１ページと２ページが印刷され、裏面に括弧で示す数字で示す３ページと４ページが印刷され、また次の用紙Ｐ2 の表面に５ページと６ページが印刷され、裏面に７ページと８ページが印刷される。このようにすることにより１枚の紙に更に多数の文書が印刷でき、用紙節約になる。
【０００７】
▲６▼特殊面付け片面印刷は、図４（Ｅ）に示す如く、片面に２ページ印刷してこれをまとめて中央の点線で２つに切断し、重ねて１部とするものである。１対の紙の表面に２ページづつ（２ページ／１枚）印刷する。片面に２ページ印刷するので、１ページ１枚印刷するよりも高速印刷できる。
【０００８】
▲７▼特殊面付け両面印刷は、図４（Ｆ）に示すように、１枚の紙の表と裏に２ページづつ（４ページ／１枚）印刷し、印刷された紙Ｐ1 、Ｐ2 を重ねて中央の点線で２つに切断して重ねて１部とするものである。高速に印刷できるとともに用紙の節約にもなる。
【０００９】
またページ印刷属性には、▲１▼見出し属性、▲２▼色紙挿入属性、▲３▼ページ給紙口属性、▲４▼色紙給紙口属性、▲５▼ページ番号印刷属性等がある。
【００１０】
これらについて簡単に説明する。
▲１▼見出し属性は、指定されたページが必ず表面あるいは左（上）面になるように印刷するものである。例えば新しい章を印刷するような場合、新しい章の最初のページが前記の如く位置するように印刷されるものである。空白挿入が行われることがある。
【００１１】
▲２▼色紙挿入属性は、指定されたページの前に何も印刷しない色紙を挿入するものである。例えば章の区切りを示す場合等に使用される。
【００１２】
▲３▼ページ給紙口属性は、指定されたページが印刷される用紙の給紙口を指定するものである。給紙口毎に異なる色紙を保持することにより、任意のページを所望の色の紙に印刷することができる。
【００１３】
▲４▼色紙給紙口属性は、前記▲２▼の色紙挿入属性で挿入される紙の給紙口を指定するものである。給紙口により異なる色紙を給紙するので、これにより所望の色の紙を挿入することができる。
【００１４】
▲５▼ページ番号印刷属性は、ページ番号を印刷するかしないか、さらに印刷しない場合は、そのページについてページ番号をカウントするかしないかを指定するものである。
【００１５】
ところでページ印刷属性はすべての印刷方法に適用可能ではなく、印刷方法によって適用可能なものと適用不可能なものがある。図５に印刷方法に応じて適用が可能、不可能なものつまり有効、無効のものを対応表示する。図５において○印は適用可能つまり有効のものであり×印は無効のものである。
【００１６】
片面印刷の場合、見出し属性とは無関係であるので×印である。また中綴じ印刷の場合、１枚の紙に複数のページが印刷されるため、特定のページの前に色紙を挿入することができず色紙挿入属性に対しては×印である。
【００１７】
例えば、通常の片面印刷を行う文書に対して、文書内のある場所に色紙を挿入する場合、そのページに色紙挿入というページ印刷属性を設定する。このページ印刷属性は記憶され、印刷を行う度に設定されたページの前に色紙が挿入されて印刷される。
【００１８】
ところが同文書を特殊面付け両面印刷に変更する場合、任意のページに色紙挿入を設定できない（特殊面付け両面印刷の場合、２つに切断して重ねて１部とするので、色紙が切断により不所望の位置に残ることになるため、色紙挿入はできない）ため、この印刷方法の変更により、前に設定された色紙挿入の属性がクリアされてしまう。
【００１９】
従って同文書を再度片面印刷する場合、色紙挿入のための再設定が必要となり、大変に不便である。
【００２０】
このようなことは、例えば片面印刷で色紙挿入の上原稿作成者に印刷チェックを要求し、原稿作成者からのチェック結果にもとづき文書データを修正したのち、社内でこれを用紙節約のため特殊面付け両面印刷によりチェック原稿を印刷する場合に生ずる。特殊面付け両面印刷によりチェックしたのち、原稿作成者に対し再度片面印刷により色紙挿入した、完成印刷物と同一のものを再チェック原稿として検査してもらうことが必要となること等により起きる。
【００２１】
【発明が解決しようとする課題】
このように、従来の印刷装置では、文書の印刷方法を決定してそれに応じたページ印刷属性を決定したあとで、次に同じ文書を別の印刷方法で印刷設定したとき、前に定めたページ印刷属性がクリアされるので、再び初めの印刷方法に戻るとき、再度同じページ印刷属性を設定しなければならないので、印刷方法を元に戻してもページ印刷属性を再度設定する必要があるという問題点があった。
【００２２】
本発明の目的は、文書の印刷方法が変わって再び元に戻っても、前に設定したページ印刷属性を使用可能とし、再度同じページ印刷属性を設定する必要がない印刷制御装置を提供することである。
【００２３】
【課題を解決するための手段】
本発明の原理を図１に示す。図１（Ａ）は本発明の原理説明における機能説明図、図１（Ｂ）は機能構成図、図１（Ｃ）は動作説明概略図である。図中１はページ印刷属性設定部、２は印刷処理部、３はページ印刷属性抽出部、４は出力部、５は印刷方法別のページ印刷属性の有効・無効を対応表示する有効・無効対応表、１０はデータベース、１１はページ編集部、１２は編集結果出力部である。
【００２４】
本発明における前記目的は、下記の構成により達成される。
（１）文書の各ページにページ印刷属性を設定しておき、このページ印刷属性にもとづき印刷制御を行う印刷制御装置において、文書をその印刷方法にかかわらずに印刷時に使用する設定可能な印刷方法に対応する複数のページ印刷属性を示す印刷属性テーブルをページ毎に設定可能なページ印刷属性設定手段と、前記設定された印刷属性テーブルから、実際の印刷方法に対して適用されるページ印刷属性を選択抽出する属性抽出手段を具備し、印刷方法が変更されたとき、この変更された印刷方法にもとづき前記設定された印刷属性テーブルから適用されるページ印刷属性を選択抽出することを特徴とする。
【００２５】
（２）前記（１）に記載された印刷制御装置において、前記属性抽出手段は、印刷方法別のページ印刷属性の有効・無効対応表にもとづき、印刷方法に応じた印刷属性を抽出することを特徴とする。
【００２６】
（３）前記（１）に記載された印刷制御装置において、前記属性抽出手段は、片面印刷を行う場合、ページ印刷属性の色紙挿入、給紙口、色紙給紙口、ページ番号印刷の属性を有効にし、見出し属性を無効にして印刷を行い、両面印刷を行う場合、ページ印刷属性の見出し、色紙挿入、給紙口、色紙給紙口、ページ番号印刷の全ての属性を有効にして印刷を行い、中綴じ印刷を行う場合、ページ印刷属性の見出し、ページ番号印刷の属性を有効にし、色紙挿入、給紙口、色紙給紙口の属性を無効にして印刷を行い、面付け片面印刷を行う場合、ページ印刷属性の見出し、色紙挿入、給紙口、色紙給紙口、ページ番号印刷の全ての属性を有効にして印刷を行い、面付け両面印刷を行う場合、ページ印刷属性の見出し、色紙挿入、給紙口、色紙給紙口、ページ番号印刷の全ての属性を有効にして印刷を行い、特殊面付け片面印刷を行う場合、ページ印刷属性のページ番号印刷属性を有効にし、見出し、色紙挿入、給紙口、色紙給紙口の属性を無効にして印刷を行い、特殊面付け両面印刷を行う場合、ページ印刷属性の見出し、ページ番号印刷の属性を有効にし、色紙挿入、給紙口、色紙給紙口の属性を無効にして印刷を行う、ことを特徴とする。
【００２７】
これにより下記の作用効果を奏する。
（１）文書に対して先ずページ印刷属性を設定しおき、印刷方法にもとづき前記設定されたページ印刷属性のうちから適用可能なものを抽出して印刷処理を行うので、印刷方法が変わってもページ印刷属性を再度設定し直す必要がなくなるので、印刷設定処理が容易になり印刷効率を向上させることができる。
【００２８】
（２）印刷方法別のページ印刷属性の有効・無効を対応表示する有効・無効対応表を用いて印刷方法に応じたページ印刷属性を抽出するので、印刷方法に応じたページ印刷属性を正確に、しかも簡単な手段で抽出することができる。
【００２９】
（３）片面印刷を行う場合、ページ印刷属性の色紙挿入、給紙口、色紙給紙口、ページ番号印刷の属性を有効にし、見出し属性を無効にして印刷を行い、両面印刷を行う場合、ページ印刷属性の見出し、色紙挿入、給紙口、色紙給紙口、ページ番号印刷の全ての属性を有効にして印刷を行い、中綴じ印刷を行う場合、ページ印刷属性の見出し、ページ番号印刷の属性を有効にし、色紙挿入、給紙口、色紙給紙口の属性を無効にして印刷を行い、面付け片面印刷を行う場合、ページ印刷属性の見出し、色紙挿入、給紙口、色紙給紙口、ページ番号印刷の全ての属性を有効にして印刷を行い、面付け両面印刷を行う場合、ページ印刷属性の見出し、色紙挿入、給紙口、色紙給紙口、ページ番号印刷の全ての属性を有効にして印刷を行い、特殊面付け片面印刷を行う場合、ページ印刷属性のページ番号印刷属性を有効にし、見出し、色紙挿入、給紙口、色紙給紙口の属性を無効にして印刷を行い、特殊面付け両面印刷を行う場合、ページ印刷属性の見出し、ページ番号印刷の属性を有効にし、色紙挿入、給紙口、色紙給紙口の属性を無効にして印刷を行うように制御したので、印刷方法に応じたページ印刷属性制御を非常に正確に行うことができる。
【００３０】
【発明の実施の形態】
本発明の理解を容易にするため、本発明の概略を図１にもとづき説明する。先ず図１（Ａ）により説明する。
【００３１】
ユーザは、文書をページ単位に設定した文書データＰ1 、Ｐ2 、Ｐ3 ・・・を作成し、これを図１（Ａ）では省略したデータベースに格納する。
【００３２】
次にユーザは、この文書のページ印刷属性を設定する。ユーザが最初に文書を片面印刷してチェックし、次に中綴じ印刷により原稿作成者に製本した本を提出してチェックを求めるような場合、ページ印刷属性として、片面印刷に使用する色紙挿入属性と、ページ番号印刷属性を設定し、さらに中綴じ印刷に使用する見出し印刷属性を設定する。中綴じ印刷のとき、ページ番号印刷属性については片面印刷のとき設定してあるが、それに追加すべき事項があればそれを追加する。
【００３３】
ユーザは、片面印刷のとき、色紙挿入のときの色紙を挿入すべきページ数、色紙の色に合った色紙給紙口番号とか、ページ数を印刷するときの位置や活字の大きさ、フォーマット、挿入した色紙はカウントしない等の詳細データを印刷属性テーブルＡに設定する。
【００３４】
また中綴じ印刷のとき、見出し印刷属性に必要な詳細データ、例えば見出し印刷を行うためのページ位置とか、見出し印刷のときの活字の大きさ等の詳細データを印刷属性テーブルＡに設定する。これら印刷属性テーブルＡは、ページ毎に用意される。
【００３５】
次に、ユーザが印刷方法として片面印刷を入力すると、印刷処理部２はページ印刷属性抽出部３に対してこの片面印刷を通知する。
【００３６】
印刷処理部２は、これにより先ず１頁目の文書データＰ1 を読み出す。このとき、ページ印刷属性抽出部３は、有効・無効対応表５から片面印刷の場合は見出し属性が無効であり、色紙挿入属性、ページ給紙口属性、色紙給紙口属性、ページ番号印刷属性が有効であることを認識し、無効である見出し属性を除き、設定された属性である色紙挿入属性、色紙給紙口属性、ページ番号印刷属性を抽出し、これらの詳細データを印刷処理部２に送る。なおユーザが設定していないページ給紙口属性に対しては、設定がないときにあらかじめ決められているディフォルト値が送られる。
【００３７】
印刷処理部２は、文書データＰ1 をこれらに基づき処理を行い、プリンタの如き出力部４にこれを送出する。このようにして文書の各ページが設定されたページ印刷属性にもとづき処理され、出力される。
【００３８】
このようにして片面印刷された文書をユーザがチェックしてこれを修正し、今度は原稿作成者に修正してもらうために、印刷物として形態を備えた中綴じ印刷でこれを印刷する。このとき印刷処理部２とページ印刷属性抽出部３には中綴じ印刷が入力される。
【００３９】
これにより、ページ印刷属性抽出部３は、今度は印刷属性テーブルＡから中綴じ印刷にもとづき、見出し属性とページ番号印刷属性を抽出して、印刷処理部２に送出し、これらにもとづく中綴じ印刷が行われる。
【００４０】
この中綴じ印刷されたものは、原稿作成者によりチェックされ、このチェック結果にもとづく修正が行われる。そしてこの修正結果をチェックするため、ユーザは再び最初の前記片面印刷処理を行うため、印刷処理部２に片面を入力する。これはページ印刷属性抽出部３にも伝達され、印刷属性テーブルＡから、前記と同様に片面印刷に対して設定された色紙挿入属性、色紙給紙口属性、ページ番号印刷属性を抽出してこれらにもとづく印刷処理が行われる。
【００４１】
このようにして、印刷方法が変わってもそれに適用したページ印刷属性を自動的に抽出して効率的に印刷処理を行うことができる。
【００４２】
すなわち、印刷方法を決定してから、その印刷方法に有効なページ印刷属性を設定するものではなく、本発明では、全てのページ印刷属性があらかじめ設定可能で、実際の印刷時に指定された印刷方法に有効なページ印刷属性を自動的に抽出して印刷を行うことができる。
【００４３】
図１（Ｂ）は機能構成原理図を示す。図１（Ａ）における文書データＰ1 、Ｐ2 、Ｐ3 ・・・及び印刷属性テーブルＡは、データベース１０に格納されている。またページ編集部１１は、文書に対して、前記印刷属性テーブルＡから抽出されたページ印刷属性にもとづく編集処理を行い、これを編集結果出力部１２が出力部４に対して出力するものであり、これらページ編集部１１と編集結果出力部１２が、前記印刷処理部２に相当するものである。
【００４４】
ページ印刷属性設定部１の動作を、図１（Ｃ）にもとづき簡単に説明する。
Ｓ１．ページ印刷属性設定部１に対し、ユーザからページ印刷属性設定が通知されると、ページ印刷属性設定部１は、指定された文書をデータベース１０より取得する。
【００４５】
Ｓ２．それから指定されたページ印刷属性を文書に設定する。このようにして印刷属性テーブルＡがページ毎に設定される。
【００４６】
Ｓ３．このようにしてページ印刷属性を設定した文書をデータベース１０に格納する。
【００４７】
本発明の一実施の形態を図２及び図３にもとづき説明する。図２は本発明の一実施の形態を示し、図３は本発明の動作説明図である。
【００４８】
図２において、２０は管理端末部、２１は制御部、２２は文書管理部、２３はデータベース、２４は印刷制御部、２５はページ印刷属性抽出部、２６はページ編集部、２７は編集結果出力部、２８はプリンタである。
【００４９】
管理端末部２０はユーザが操作して文書を入力したり、印刷方法を設定したり、ページ編集を行ったり、ページ印刷属性設定等を行うものであり、いわゆる印刷用の各種のデータの入力手段であり、キーボードやディスプレイ等を具備している。
【００５０】
制御部２１は文書を入力処理したり、編集処理したり、文書印刷用のデータを保持するものであり、文書管理部２２、データベース２３、印刷制御部２４等を備えており、サーバで構成されている。
【００５１】
文書管理部２２はユーザからの指示にもとづき文書印刷に必要な各種データをデータベース２３に設定するものであり、印刷すべき文書をデータベース２３に登録したり、例えば印刷ずみにより不要になった文書を削除したり、文書編集を行ったり、文書印刷属性を設定つまり片面印刷か、両面印刷か中綴じ印刷か・・・等の印刷方法を設定したり、ページ印刷属性を設定するものである。すなわち、文書管理部２２は、図１におけるページ印刷属性設定部１の機能を有する。
【００５２】
データベース２３は、印刷に必要な各種データを保持するものであり、印刷すべき文書や、印刷方法別のページ印刷属性の有効・無効対応表や、印刷属性テーブル等が保持されている。
【００５３】
印刷制御部２４は、使用する印刷方法にもとづき、それに適応したページ印刷属性を抽出して、文書をこのページ印刷属性にもとづき印刷制御を行うものであって、ページ印刷属性抽出部２５、ページ編集部２６、編集結果出力部２７等を備えている。
【００５４】
ページ印刷属性抽出部２５は、印刷すべき文書の各ページに設定されている印刷属性テーブルＡから、印刷方法にもとづき、図５に示す如き有効・無効対応表を参照して必要なページ印刷属性を抽出するものであり、図１におけるページ印刷属性抽出部３に相当するものである。
【００５５】
ページ編集部２６は、印刷方法に従ったページの並び替えや前記ページ印刷属性抽出部２５が抽出したページ印刷属性にもとづき、例えば空白ページの挿入（見出し印刷のとき）等の編集処理を行うものであり、図１におけるページ編集部１１に相当するものである。
【００５６】
編集結果出力部２７は、ページ編集部２６において編集処理した文書データをプリンタ２８に出力するときの出力フォーマットに応じた処理を行い、これをプリンタ２８に送出するものであり、図１における編集結果出力部１２に相当するものである。
【００５７】
プリンタ２８は、印刷制御部２４で編集処理された文書データを印刷出力するものであり、図１における出力部４に相当する。
【００５８】
次に本発明の動作を図３に示すフローチャートにもとづき説明する。
印刷に先立ちユーザは文書を管理端末部２０より入力した場合、この文書に対して片面印刷と中綴じ印刷を行う場合、同じく管理端末部２０よりこれら片面印刷に対する詳細データ（例えば色紙挿入を行うページやその色紙挿入口のデータ）及び中綴じ印刷に対する詳細データ（例えば見出し処理を行うための空白ページの挿入処理用のデータ）を入力し、これらにもとづき文書管理部２２がページ毎に図１（Ａ）に示す印刷属性テーブルＡを設定しておく。
【００５９】
Ｓ１０．実際に印刷を行うとき、ユーザは管理端末部２０から印刷対象として指定された文書の文書番号を入力し、指定された文書をデータベース２３より所得する。
【００６０】
Ｓ１１．次にユーザは指定された印刷方法、例えば片面印刷を管理端末部２０から入力する。これによりページ印刷属性抽出部２５はこの印刷方法にもとづき、前記文書の印刷属性テーブルＡを参照し、片面印刷に対して有効なページ印刷属性を取り出す。
【００６１】
Ｓ１２．ページ編集部２６は、この印刷方法及びページ印刷属性にしたがって、片面印刷の場合は、例えば所定ページに所定の色紙を挿入するなどのページ編集を行う。
【００６２】
Ｓ１３．このページ編集されたデータは、編集結果出力部２７を経由してプリンタ２８に出力され、例えば片面印刷が行われる。
【００６３】
この片面印刷にもとづき印刷に対するチェックが行われ、データベース２３に保持されている文書に対して管理端末部２０より修正が行われる。この修正された文書に対して、今度は原稿作成者によるチェックのため中綴じ印刷が行われる。
【００６４】
Ｓ１０′．ユーザは管理端末部２０から、前記チェック修正ずみの指定された文書をデータベースから所得する。
【００６５】
Ｓ１１′．次にユーザは、指定された印刷方法として今度は中綴じ印刷を管理端末部２０から入力される。これによりページ印刷属性抽出部２５は、この印刷方法にもとづき、前記文書の印刷属性テーブルＡを参照し、中綴じ印刷に対して有効なページ印刷属性を取り出す。
【００６６】
Ｓ１２′．ページ編集部２６は、この印刷方法及びページ印刷属性にしたがって、中綴じ印刷の場合、ページの並び替えや空白ページの挿入などのページ編集を行う。
【００６７】
Ｓ１３′．このページ編集されたデータは、編集結果出力部２７を経由してプリンタ２８に出力され、今度は中綴じ印刷が行われる。
【００６８】
この中綴じ印刷された印刷物は原稿作成者にとどけられて原稿作成者にもとづくチェックが行われ、この原稿作成者によるチェック結果にもとづき管理端末部２０よりデータベース２３に保持されている前記チェック修正文書に対し再度修正が行われる。そしてこの再度修正された文書に対し、前記Ｓ１０〜Ｓ１３と同じ片面印刷が行われ、三度目のチェックが行われる。
【００６９】
このように本発明では、印刷方法を変える度にページ印刷属性の再設定の必要がなくなるので、印刷効率を向上させることができる。
【００７０】
【発明の効果】
本発明により、次の作用効果を奏することができる。
（１）文書に対して先ずページ印刷属性を設定しおき、印刷方法にもとづき前記設定されたページ印刷属性のうちから適用可能なものを抽出して印刷処理を行うので、印刷方法が変わってもページ印刷属性を再度設定し直す必要がなくなるので、印刷設定処理が容易になり印刷効率を向上させることができる。
【００７１】
（２）印刷方法別のページ印刷属性の有効・無効を対応表示する有効・無効対応表を用いて印刷方法に応じたページ印刷属性を抽出するので、印刷方法に応じたページ印刷属性を正確に、しかも簡単な手段で抽出することができる。
【００７２】
（３）片面印刷を行う場合、ページ印刷属性の色紙挿入、給紙口、色紙給紙口、ページ番号印刷の属性を有効にし、見出し属性を無効にして印刷を行い、両面印刷を行う場合、ページ印刷属性の見出し、色紙挿入、給紙口、色紙給紙口、ページ番号印刷の全ての属性を有効にして印刷を行い、中綴じ印刷を行う場合、ページ印刷属性の見出し、ページ番号印刷の属性を有効にし、色紙挿入、給紙口、色紙給紙口の属性を無効にして印刷を行い、面付け片面印刷を行う場合、ページ印刷属性の見出し、色紙挿入、給紙口、色紙給紙口、ページ番号印刷の全ての属性を有効にして印刷を行い、面付け両面印刷を行う場合、ページ印刷属性の見出し、色紙挿入、給紙口、色紙給紙口、ページ番号印刷の全ての属性を有効にして印刷を行い、特殊面付け片面印刷を行う場合、ページ印刷属性のページ番号印刷属性を有効にし、見出し、色紙挿入、給紙口、色紙給紙口の属性を無効にして印刷を行い、特殊面付け両面印刷を行う場合、ページ印刷属性の見出し、ページ番号印刷の属性を有効にし、色紙挿入、給紙口、色紙給紙口の属性を無効にして印刷を行うように制御したので、印刷方法に応じたページ印刷属性制御を非常に正確に行うことができる。
【図面の簡単な説明】
【図１】本発明の原理図である。
【図２】本発明の一実施の形態である。
【図３】本発明の動作説明である。
【図４】印刷方法説明図である。
【図５】印刷方法別のページ印刷属性の有効・無効対応表説明図である。
【符号の説明】
Ａ  印刷属性テーブル
Ｐ1 〜Ｐ3   文書データ
１  ページ印刷属性設定部
２  印刷処理部
３  ページ印刷属性抽出部
４  出力部
５  有効・無効対応表
１０  データベース
１１  ページ編集部
１２  編集結果出力部
２０  管理端末部
２１  制御部
２２  文書管理部
２３  データベース
２４  印刷制御部
【図１】
0004284747.tif 000002
【図２】
0004284747.tif 000003
【図３】
0004284747.tif 000004
【図４】
0004284747.tif 000005
【図５】
0004284747.tif 000006